(57)【要約】【課題】  フィンの角度を正確、且つ、簡単に任意の角度に設定できると共に作業性を向上でき、かつ、フィンを正確に取り付けることが可能なサーフボードのフィン取付角度調整器を提供する。【解決手段】  フィン取付角度調整器１は、ゲージ基台２０，３０に取り付けられた第１，第２のゲージ４０，５０と、ゲージ基台２０，３０が両側に取り付けられた横長の本体部１０とを備える。第１のゲージ４０は、固定設置された第１の基準板４１と、これに重なるようにして回動自在に設けられた第１の角度設定板４２を有し、同様に、第２のゲージ５０は、第２の基準板５１と第２の角度設定板５２を有する。第１，第２の角度設定板４２，５２の角度を設定した後、本体部１０の長さを調整し、サイドフィンの内側の面を第１，第２の角度設定板４２，５２の角度設定面４０５，５０５に合致させれば、角度調整（角度設定）は完了する。【選択図】  図１
2010112785.tif 000002
【特許請求の範囲】
【請求項１】
サーフボードの底面に配置されるフィンの取り付け角度を設定するためのフィン取付角度調整器であって、
サーフボードのフィン取付面に一時的に置かれる本体部と、
前記本体部の一端に設けられ、当該本体部を前記サーフボードの前記フィン取付面に置いたときに前記フィン取付面に対して垂直となる基準面を備えた基準板と、
前記基準板に重ね合わせるようにして前記本体部に回動自在に取り付けられると共に、前記基準面に対する傾斜角度を決定する角度設定面を備えた角度設定板と、
所定の角度に回動させた前記角度設定板を前記基準板に固定する締付部と、
を備えてなることを特徴とするサーフボードのフィン取付角度調整器。
【請求項２】
前記本体部の両端に、前記基準板と、前記角度設定板と、前記締付部とがそれぞれ設けられていることを特徴とする請求項１に記載のサーフボードのフィン取付角度調整器。
【請求項３】
前記本体部は、パイプ状のガイド部と、
挿入量を調節可能にして前記ガイド部の一端又は両端に挿入された可動部材と、
前記可動部材を前記ガイド部に固定する長さ調整用のネジと、
を有することを特徴とする請求項１又は２に記載のサーフボードのフィン取付角度調整器。
【請求項４】
前記本体部は、その両側に、前記サーフボードの前記フィン取付面より突出する部分の高さ以上の高さを有する脚部が設けられていることを特徴とする請求項１又は２に記載のサーフボードのフィン取付角度調整器。
【請求項５】
前記基準板及び前記角度設定板は、一方に、前記基準面と前記角度設定面との相対角度を表す目盛が設けられ、他方に、前記目盛に対する現在の前記相対角度を示す指標が設けられていることを特徴とする請求項１又は２に記載のサーフボードのフィン取付角度調整器。
【請求項６】
前記基準板は、前記目盛が上部に設けられ、
前記角度設定板は、前記指標が設けられていると共に前記指標を中心にして前記目盛の所定領域を露出させる孔が設けられていることを特徴とする請求項５に記載のサーフボードのフィン取付角度調整器。
【請求項７】
前記基準板及び前記角度設定板は、略同一の外形形状を成し、前記角度設定板は前記基準板より突出する指掛け用の突出部が設けられていることを特徴とする請求項１又は２に記載のサーフボードのフィン取付角度調整器。
【請求項８】
前記基準板及び前記角度設定板は、共に扇形を成し、幅の狭くなった側の端部が前記本体部に取り付けられていることを特徴とする請求項１又は２に記載のサーフボードのフィン取付角度調整器。
【請求項９】
前記締付部は、前記角度設定板に設けられた長孔と、
前記長孔を通して前記基準板にネジ止めされるネジと、
を有することを特徴とする請求項１又は２に記載のサーフボードのフィン取付角度調整器。
【発明の詳細な説明】
【技術分野】
【０００１】
本発明は、サーフボードのフィン取付角度調整器に関し、特に、サーフボードのサイドフィンをサーフボードの底面に取り付ける際の角度を設定するために用いるフィン取付角度調整器に関する。
【背景技術】
【０００２】
サーフボードは、例えば、発泡プラスチックにより成形し、その外表面を繊維強化樹脂でコーティングすることにより作られている。この様なサーフボードは、その底面の後部に、左右に設けられたサイドフィンと、これらの中間の後方に設けられたセンターフィンとを備えている。
【０００３】
サーフボードは、運搬の不手際によるフィンの損傷を防止したい、ユーザの好みによる操舵性、回動性、スピード等を得られるようにしたい等の理由から、センターフィン及びサイドフィンをサーフボードに永久固定とせず、交換できるようになっているものがある（例えば、特許文献１、２参照）。
【０００４】
更に、サーフボードによっては、サーフボードの底面に対するサイドフィンの垂直方向の角度（直立角）をユーザや販売店のスタッフにより変えられる様にし、これによって上記したような特性を調整できるようにしたものがある。この場合、各サイドフィンの直立角を設定する必要があるが、従来、分度器でフィンの角度を測る方法、サイドフィンの頂部間に垂木を懸け渡して距離を測る方法、或いは、以下に説明する方法等により行っていた。
【０００５】
図６は、サーフボードのフィンに対する従来の角度調整方法を説明する図である。なお、図６は、サーフボードを後方（テール側）から見た状態を示している。図６に示すように、裏返しにされたサーフボード１００の底面１０１には、取り付け対象のサイドフィン１０２ａ，１０２ｂが仮止めされている。この状態で、予め設定した角度のテーパを有するように裁断された段ボール、プラスチック板等で作製した治具１０３をサイドフィン１０２ａ，１０２ｂの相互間に介在させる。ついで、治具１０３の両側にサイドフィン１０２ａ，１０２ｂの対向面（内側の面）を密着させ、この状態を保ったままサイドフィン１０２ａ，１０２ｂの根元を接着、ネジ止め等により固定する。
【０００６】
【特許文献１】特開２００７−１６０９６９号公報
【特許文献２】特表２００５−５０８７９８号公報
【発明の開示】
【発明が解決しようとする課題】
【０００７】
しかし、従来の角度調整方法は、角度調整に手間と時間を要するため、任意の角度に素早く設定することが難しく、作業性が劣ると共に、取付精度も悪かった。
【０００８】
従って、本発明の目的は、サーフボードのフィンの取り付け角度を正確、且つ、簡単に任意の角度に設定できると共に、作業性の向上を図ることが可能なサーフボードのフィン取付角度調整器を提供することにある。
【課題を解決するための手段】
【０００９】
上記目的を達成するため請求項１に記載の本発明は、サーフボードの底面に配置されるフィンの取り付け角度を設定するためのフィン取付角度調整器であって、サーフボードのフィン取付面に一時的に置かれる本体部と、本体部の一端に設けられ、本体部をサーフボードのフィン取付面に置いたときにフィン取付面に対して垂直となる基準面を備えた基準板と、基準板に重ね合わせるようにして本体部に回動自在に取り付けられると共に、基準面に対する傾斜角度を決定する角度設定面を備えた角度設定板と、所定の角度に回動させた角度設定板を基準板に固定する締付部とを備えてなることを特徴とするサーフボードのフィン取付角度調整器を提供する。
【００１０】
上記目的を達成するため請求項２に記載の本発明は、本体部は、請求項１に記載のサーフボードのフィン取付角度調整器において、その他端に、基準板、角度設定板を対称形にした形状の第２の基準板及び第２の角度設定板と、所定の角度に回動させた第２の角度設定板を第２の基準板に固定する第２の締付部とが設けられていることを特徴とする。
【００１１】
上記目的を達成するため請求項３に記載の本発明は、請求項１又は２に記載のサーフボードのフィン取付角度調整器において、本体部は、パイプ状のガイド部と、挿入量を調節可能にしてガイド部の一端又は両端に挿入された可動部材と、可動部材をガイド部に固定する長さ調整用のネジとを有することを特徴とする。
【００１２】
上記目的を達成するため請求項４に記載の本発明は、請求項１又は２に記載のサーフボードのフィン取付角度調整器において、本体部は、その両側に、サーフボードのフィン取付面より突出する部分の高さ以上の高さを有する脚部が設けられていることを特徴とする。
【００１３】
上記目的を達成するため請求項５に記載の本発明は、請求項１に記載のサーフボードのフィン取付角度調整器において、基準板及び角度設定板は、一方に、基準面と角度設定面との相対角度を表す目盛が設けられ、他方に、目盛に対する現在の相対角度を示す指標が設けられていることを特徴とする。
【００１４】
上記目的を達成するため請求項６に記載の本発明は、請求項５に記載のサーフボードのフィン取付角度調整器において、基準板は、目盛が上部に設けられ、角度設定板は、指標が設けられていると共に指標を中心にして目盛の所定領域を露出させる孔が設けられていることを特徴とする。
【００１５】
上記目的を達成するため請求項７に記載の本発明は、請求項１又は２に記載のサーフボードのフィン取付角度調整器において、基準板及び角度設定板は、略同一の外形形状を成し、角度設定板は基準板より突出する指掛け用の突出部が設けられていることを特徴とする。
【００１６】
上記目的を達成するため請求項８に記載の本発明は、請求項１又は２に記載のサーフボードのフィン取付角度調整器において、基準板及び角度設定板は、共に扇形を成し、幅の狭くなった側の端部が本体部に取り付けられていることを特徴とする。
【００１７】
上記目的を達成するため請求項９に記載の本発明は、請求項１又は２に記載のサーフボードのフィン取付角度調整器において、締付部は、角度設定板に設けられた長孔と、長孔を通して基準板にネジ止めされるネジとを有することを特徴とする。
を提供する。
【発明の効果】
【００１８】
本発明のサーフボードのフィン取付角度調整器によれば、フィンの取り付け角度を正確、且つ、簡単に設定できると共に、フィン取り付けの作業性を向上できるという効果がある。
具体的には、角度設置のための目盛りが設けられているためフィンの取り付け角度を正確に設定することができる。また、本体部が伸縮固定することができると共に角度設定板を締付部によって設定角度を保持した状態で固定できるので異なるサイズのサーフボードに対しても使用することができる。
【発明を実施するための最良の形態】
【００１９】
［第１の実施の形態］
図１は、本発明の第１の実施の形態に係るサーフボードのフィン取付角度調整器を示す正面図、図２は、図１に示すフィン取付角度調整器の斜視図である。なお、図２に示すフィン取付角度調整器は、図１の本体部の長さを最短にした状態を示している。
【００２０】
（フィン取付角度調整器の構成）
フィン取付角度調整器１は、ゲージ基台２０，３０が両側に設けられた本体部１０と、ゲージ基台２０，３０に取り付けられた第１，第２のゲージ４０，５０とを備えて構成をされている。この第１，第２のゲージ４０，５０は、左右対称の形状を成している。
【００２１】
（本体部の構成）
本体部１０は、例えば、金属製でパイプ状を成したガイド部材１１と、挿入量を調節可能にしてガイド部材１１の両側に挿入されると共に第１，第２のゲージ４０，５０が一端に取り付けられた円柱状の可動部材１２ａ，１２ｂと、可動部材１２ａ，１２ｂをガイド部材１１に固定する長さ調整ネジ（ノブネジ）１３ａ，１３ｂとを備えて構成されている。第１，第２のゲージ４０，５０は、共に後記する基準板と角度設定板とから構成されている。
【００２２】
ガイド部材１１は、その上部の長さ方向に、長さ調整ネジ１３ａ，１３ｂの直径よりやや大きい幅を有した第１，第２の長孔１４ａ，１４ｂが設けられており、この第１，第２の長孔１４ａ，１４ｂを通して可動部材１２ａ，１２ｂのネジ孔（図示せず）に長さ調整ネジ１３ａ，１３ｂが螺着されている。
【００２３】
ゲージ基台２０，３０は、例えば、樹脂成形で作られており、第１，第２のゲージ４０，５０を保持する保持部２０ａ，３０ａと、保持部２０ａ，３０ａの下部に一体に設けられてサーフボードの底面（フィン取付面）に接触する脚部２０ｂ，３０ｂと、を有している。また、保持部２０ａ，３０ａには、第１，第２のゲージ４０，５０の角度設定板を軸支する軸２０ｃ，３０ｃが設けられている。
【００２４】
（第１のゲージの構成）
第１のゲージ４０は、下部が保持部２０ａに固定された扇形の第１の基準板４１と、この第１の基準板４１に重なるようにして配設されると共に、下部が回動可能に軸２０ｃで軸支された扇形の第１の角度設定板４２と、後記する第３の長孔４０３を通して第１の基準板４１にネジ付けられ、第１の角度設定板４２を第１の基準板４１に固定するノブネジ（又はノブボルト）４３とを備えて構成されている。ここで、このノブネジ４３と第３の長孔４０３とにより、締付部が構成されている。
【００２５】
（第１の基準板の構成）
第１の基準板４１は、その上部の水平方向に刻印、印刷等による第１の目盛４０１が設けられている。この第１の目盛４０１は、垂直面を０°とし、図１の左方向へ、例えば、１°刻みに１０°まで目盛られている。上記垂直面が基準面４０６となり、本体部１０の中心線２００に対して９０°の角度になっている。
【００２６】
（第１の角度設定板の構成）
第１の角度設定板４２は、第１の基準板４１と略同一の外形形状を成し、その側端面（図１の左側の端面）が、サイドフィンの側面に当接する角度設定面４０５になる。
【００２７】
この第１の角度設定板４２は、第１の基準板４１の第１の目盛４０１に対向する部位に第１の長孔４０２が設けられており、この第１の長孔４０２の下辺には、第１の目盛４０１を読み取る際の指標になる三角形の突起４０４が設けられている。また、第１の長孔４０２の下方には、ノブネジ４３が取り付けられたままでの第１の角度設定板４２の回動を可能にするために第３の長孔４０３が設けられている。後記する第３の長孔４０３は、例えば、第１の角度設定板４２を右側へ一杯に回動させたときに０°になり、左側へ一杯に回動させたときに１０°になる孔の長さを有している。
【００２８】
第１の角度設定板４２は、その側端面が垂直であるとき、突起４０４が第１の目盛４０１の０°に合致している。このとき、第１の角度設定板４２の角度設定面４０５は、第１の基準板４１の基準面４０６に一致している。なお、第１の目盛４０１は、０〜１０°としたが、この角度範囲に限定されるものではなく、任意の目盛範囲にすることができる。
【００２９】
また、第１の角度設定板４２には、第１の角度設定板４２を動かし易くするため、上部に半円状の指掛け用の突出部４０７が設けられている。この指掛部４０７の上面には、指が滑らないように、ローレット等の加工を施しておくこともできる。
【００３０】
（第２のゲージの構成）
第２のゲージ５０は、下部が保持部３０ａに固定された扇形の第２の基準板５１と、この第２の基準板５１に重なるようにして配設されると共に、下部が回動可能に軸３０ｃで軸支された扇形の第２の角度設定板５２と、第３の長孔５０３を通して第２の基準板５１に螺着され、第２の角度設定板５２を第２の基準板５１に固定するノブネジ（又はノブボルト）５３とを備えて構成されている。そして、このノブネジ５３と第４の長孔５０３とにより、第２の締付部が構成されている。
【００３１】
（第２の基準板の構成）
第２の基準板５１は、その上部の水平方向に刻印、印刷等による第２の目盛５０１が設けられている。この第２の目盛５０１は、垂直面を０°とし、図１の右方向へ、例えば、１°刻みに１０°まで目盛られている。上記垂直面が基準面５０６となり、本体部１０の中心線２００に対して９０°の角度になっている。
【００３２】
（第２の角度設定板の構成）
第２の角度設定板５２は、第２の基準板５１と略同一の外形形状を成し、その側端面（図１の右側の端面）が、サイドフィンの側面に当接する角度設定面５０５になる。
【００３３】
この第２の角度設定板５２は、第２の基準板５１の第２の目盛５０１に対向する部位に第３の長孔５０２が設けられており、この第３の長孔５０２の下辺には、第２の目盛５０１を読み取る際の指標になる三角形の突起５０４が設けられている。また、第３の長孔５０２の下方には、ノブネジ５３が取り付けられたままでの第２の角度設定板５２の回動を可能にするために第４の長孔５０３が設けられている。第４の長孔５０３は、例えば、第２の角度設定板５２を左側へ一杯に回動させたときに０°になり、右側へ一杯に回動させたときに１０°になる孔の長さを有している。
【００３４】
第２の角度設定板５２は、その側端面が垂直であるとき、突起５０４が第２の目盛５０１の０°に合致している。このとき、第２の角度設定板５２の角度設定面５０５は、第２の基準板５１の基準面５０６に一致している。なお、第１の目盛５０１は、０〜１０°としたが、この角度範囲に限定されるものではなく、任意の目盛範囲にすることができる。
【００３５】
また、第２の角度設定板５２には、第２の角度設定板５２を動かし易くするため、上部に半円状の指掛け用の突出部５０７が設けられている。この指掛部５０７の上面には、指が滑らないように、ローレット等の加工を施しておくこともできる。
【００３６】
（フィン取付角度調整器の使用方法）
次に、フィン取付角度調整器１の使用方法について説明する。図３は、サーフボードの底面のサイドフィン間にフィン取付角度調整器を一時的にセットした状態を示す斜視図、図４は、フィン取付角度調整器によるサイドフィンの角度の設定完了を示す正面図である。
【００３７】
まず、作業者は、フィン取付角度調整器１の第１，第２のゲージ４０，５０を、予め所望の角度θに設定する。この設定は、ノブネジ４３，５３を緩めて、第１，第２の角度設定板４２，５２を回動できるようにし、第１，第２の基準板４１，５１の第１，第２の目盛４０１，５０１の所望の角度値に突起４０４，５０４が合致するように、第１，第２の角度設定板４２，５２を回動させる。ついで、作業者は、第１，第２の目盛４０１，５０１と突起４０４，５０４が合致したところで、その状態を保ったまま、ノブネジ４３，５３を締め付ける。
【００３８】
次に、作業者は、図４に示すように、サーフボード１００を裏返しにし、図３に示すように、サイドフィン１０２ａ，１０２ｂをサーフボード１００の底面の指定の場所に仮付けする。ついで、作業者は、長さ調整ネジ１３ａ，１３ｂを緩め、可動部材１２ａ，１２ｂをガイド部材１１内に押し込んでフィン取付角度調整器１の長さを短くし、この状態で、図３のように、フィン取付角度調整器１をサイドフィン１０２ａとサイドフィン１０２ｂの間にセットする。
【００３９】
次に、作業者は、可動部材１２ａ，１２ｂをガイド部材１１から引き出し、第１，第２の基準板４１，５１の角度設定面４０５，５０５をサイドフィン１０２ａ，１０２ｂの内側の側面に接触させる。更に、作業者は、図４に示すように、角度設定面４０５，５０５に押し当てたまま、長さ調整ネジ１３ａ，１３ｂを締め付け、可動部材１２ａ，１２ｂをガイド部材１１に固定する。
【００４０】
次に、作業者は、接着、ネジ止め、その他のサーフボード１００の仕様に従った固定手段により、サイドフィン１０２ａ，１０２ｂをサーフボード１００の底面に固定する。その後、フィン取付角度調整器１をセット位置から取り出せば、フィンの取付角度調整作業及びフィン取付作業は終了する。
【００４１】
（第１の実施の形態の効果）
第１の実施の形態によれば、下記の効果を奏する。
（１）第１，第２の角度設定板４２，５２を回動させて、第１，第２の目盛４０１，５０１の所望の角度値に突起４０４，５０４を合わせて第１，第２の角度設定板４２，５２を第１，第２の基準板４１，５１に固定し、かつ、本体部１０の長さをサイドフィン１０２ａ，１０２ｂの対向間の幅に合わせるのみで、サイドフィン１０２ａ，１０２ｂの角度を簡単に設定でき、かつ、正確に取り付けることができる。
（２）第１，第２の角度設定板４２，５２を回動するのみでフィン角度を簡単に設定できることから、角度設定（角度調整）及びフィン取付作業に要する時間を大幅に短縮することができる。
（３）第１，第２の角度設定板４２，５２を回動するのみで設定角度を選べる（設定できる）ため、１台のフィン取付角度調整器１で多種のフィンやサーフボードに対応することができる。
（４）第１，第２の基準板４１，５１に目盛４０１，５０１を設け、第１，第２の角度設定板４２，５２に開口４０２，５０２を設けた構成、及び第１，第２の基準板４１，５１及び第１，第２の角度設定板４２，５２が共に扇形にした構成により、第１，第２の基準板４１，５１と第１，第２の角度設定板４２，５２の外形デザインを統一することができ、デザイン性が向上する。
（５）第１，第２の角度設定板４２，５２を扇形にしたため、本体部１０に対する回動が円滑に行え、構造上の制約を緩和することができる。
（６）第１，第２の角度設定板４２，５２は、ノブネジ４３，５３を回すのみで第１，第２の基準板４１，５１に対する固定／開放ができるため、角度設定作業を迅速に行うことが可能になる。
（６）本体部１０は、その長さを可動部材１２ａ，１２ｂによって調節できる様にしたので、ゲージ４０とゲージ５０を個別にサイドフィン１０２ａ，１０２ｂに合わせることができる結果、作業性を向上させることができる。
【００４２】
［第２の実施の形態］
図５は、本発明の第２の実施の形態に係るサーフボードのフィン取付角度調整器の主要部を示す正面図である。本実施の形態は、第１の実施の形態において、第１の角度設定板４２に第１の長孔４０２を設けず、この部分に第１の基準板４１に設けていた第１の目盛４０１を移設したものである。更に、第１の基準板４１は、Ｖ字状の凹部４０８が設けられており、この凹部４０８により第１の目盛４０１に対する設定値を識別できるようにしている。以上は第１のゲージ４０についての説明であるが、第２のゲージ５０も同様の構成にする。
【００４３】
なお、図５において、第１の目盛４０１を第１の角度設定板４２に設け、凹部４０８に代えて突起４０４を第１の角度設定板４２の上端面に設ける構成であってもよい。
【００４４】
（第２の実施の形態の効果）
第２の実施の形態によれば、構造を簡略化することができると共に、第１の基準板４１と第１の角度設定板４２の重なり角及び第２の基準板５１と第２の角度設定板５２の重なり角にかかわらず、第１，第２の目盛４０１，５０１の全体を見ることができるので、素早く角度を把握し、設定することができる。その他の効果は、第１の実施の形態と同様である。
【００４５】
［他の実施の形態］
上記実施の形態において、フィン取付角度調整器１は、第１，第２のゲージ４０，５０の２つのゲージを有するものとしたが、どちらか一方を有する構成であってもよい。この場合、フィン毎に角度設定及びフィン取付作業を実施する。
【００４６】
また、上記実施の形態においては、可動部材１２ａ，１２ｂがガイド部材１１に対して個別に動かせる構成にとしたが、可動部材１２ａ，１２ｂをいずれか１つにし、これをガイド部材１１に挿入する構成にしてもよい。
【００４７】
また、上記各実施の形態において、第１，第２の角度設定板４２，５２と第１，第２の基準板４１，５１とが前後に入れ代わった構成であってもよい。
【００４８】
また、上記各実施の形態において、第１，第２の基準板４１，５１及第１，第２の角度設定板４２，５２は、共に扇形であるとしたが、他の形状、例えば、横Ｔ字形、長板状等であってもよい。
【００４９】
また、突起４０４，５０４は、これに代えて、印刷、刻印等であってもよい。
【００５０】
また、上記実施の形態においては、ペアになっているサイドフィン１０２ａ，１０２ｂの角度設定（角度調節）を行う場合について説明したが、フィンが１つの場合でも、本発明に係るフィン取付角度調整器１を使用できることは勿論である。
【図面の簡単な説明】
【００５１】
【図１】本発明の第１の実施の形態に係るサーフボードのフィン取付角度調整器を示す正面図である。
【図２】図１に示すフィン取付角度調整器の斜視図である。
【図３】サーフボードの底面のサイドフィン間にフィン取付角度調整器を一時的にセットした状態を示す斜視図である。
【図４】フィン取付角度調整器によるサイドフィンの角度の設定完了を示す正面図である。
【図５】本発明の第２の実施の形態に係るサーフボードのフィン取付角度調整器の主要部を示す正面図である。
【図６】サーフボードのフィンに対する従来の角度調整方法を説明する図である。
【符号の説明】
【００５２】
１，２  フィン取付角度調整器
３  連結部材
４  多接触型フィン取付角度調整器
１０  本体部
１１  ガイド部材
１２ａ，１２ｂ  可動部材
１３ａ，１３ｂ  長さ調整ネジ
１４ａ  第１の長孔
１４ｂ  第２の長孔
１５  ガイド部
２０，３０  ゲージ基台
２０ａ，３０ａ  保持部
２０ｂ，３０ｂ  脚部
２０ｃ，３０ｃ  軸
４０  第１のゲージ
４１  第１の基準板
４２  第１の角度設定板
４３，５３  ノブネジ
５０  第２のゲージ
５１  第２の基準板
５２  第２の角度設定板
６０  第３のゲージ
７０  第４のゲージ
１００  サーフボード
１０２ａ，１０２ｂ  サイドフィン
４０１  第１の目盛
４０２  第１の長孔
４０３  第２の長孔
４０４，５０４  突起
４０５，５０５  角度設定面
４０６，５０６  基準面
４０７，５０７  突出部
４０８  凹部
５０１  第２の目盛
５０２  第３の長孔
５０３  第４の長孔
【図１】
2010112785.tif 000003
【図２】
2010112785.tif 000004
【図３】
2010112785.tif 000005
【図４】
2010112785.tif 000006
【図５】
2010112785.tif 000007
【図６】
2010112785.tif 000008